(57)【要約】      （修正有）【課題】防水仕様のコンセントに使う場合でも、アースピン差込穴が有るコンセント（穴有コンセント）とアースピン差込穴が無いコンセント（穴無コンセント）とに使用できるプラグを提供する。【解決手段】（ａ）（ｂ）（ｅ）（ｆ）は穴無コンセントに使うための状態、（ｃ）（ｄ）（ｇ）は穴有コンセントに使うための状態のプラグ１を示している。本体カバー１１は、本体１９に覆い被さり、環状部１１７を備える。環状部１１７は、本体カバー１１の外周面の上端に位置する円筒状の膨らみである。本体カバー１１は、本体１９に対して半回転できるようになっている。アースピン１７は、本体１９に設けられた収納穴に収納されている。そして、スプリング２３は、後カバー２５とスプリング２３との間に設けられており、使用位置に向けて出っ張る向きにアースピン１７に力を常に与えている。【選択図】図１
0003150975.tif 000002
【実用新案登録請求の範囲】
【請求項１】
防水仕様のコンセントに設けられた受け口に嵌合する環状部が形成されると共に、使用位置に配置したり不使用位置に配置したりする位置変更ができるようにアースピンを保持するプラグであって、
前記環状部の外周の軸線に対する端子の位置は、アースピン差込穴を有しないコンセントの端子差込穴に対応する第一位置と、アースピン差込穴を有するコンセントの端子差込穴に対応する第二位置との間で切り換え可能に構成されており、
前記端子を保持すると共に、前記位置変更が可能なように前記アースピンを保持する円柱状の本体を備え、
前記環状部は、前記本体の円柱面の軸線を中心に回転可能なように、前記本体の円柱面に連結し、
前記環状部の外周の軸線は、前記本体に連結した状態において、前記本体の円柱面の軸線に対して、平行かつ不一致である
ことを特徴とするプラグ。
【請求項２】
前記環状部と一緒に回転するように構成され、前記本体に覆い被さる本体カバーを備え、
前記位置変更は、前記アースピンが、このアースピン自身の軸線方向に移動することで実現され、
当該プラグは、前記使用位置の向きへの力を前記アースピンに与える力付与手段を備え、
前記本体は、前記アースピンを収納する部位に、前記本体の円柱面の一部を切り取るようにして前記アースピンの軸線方向に延びる切欠きを備え、
前記アースピンは、前記軸線方向とは異なる方向に突き出て、前記切欠きから飛び出るガイドピンを備え、
前記本体カバーは、前記使用位置以外の位置において前記ガイドピンが前記使用位置の向きに移動しようとすると引っ掛かる螺旋状の第一段差と、前記使用位置において前記ガイドピンが前記不使用位置の向きに移動しようとすると引っ掛かる第二段差とを、前記本体カバーの内周面に備え、
前記アースピンが前記使用位置にある場合に、前記ガイドピンが前記第二段差に引っ掛かることで、前記アースピンを前記使用位置に保持できるようになっている
ことを特徴とする請求項１のプラグ。
【考案の詳細な説明】
【技術分野】
【０００１】
アースピンを備えた差し込みプラグに関する。
【背景技術】
【０００２】
アースピンを備えた差し込みプラグにおいて、アースピン差込穴が有るコンセント（穴有コンセント）とアースピン差込穴が無いコンセント（穴無コンセント）との両方に、アダプターなしで使用できるプラグが知られている（特許文献１）。
【０００３】
このプラグは、アースピンが出っ張ったり引っ込んだりするようになっている。そこで、穴有コンセントに挿入する場合にはアースピンを出っ張らせ、穴無コンセントに挿入する場合にはアースピンを引っ込ませて使う。
【先行技術文献】
【特許文献】
【０００４】
【特許文献１】特開平７−２９６８９８号公報
【考案の概要】
【考案が解決しようとする課題】
【０００５】
先述したプラグの課題は、このプラグと相手方のコンセントとを防水仕様にした場合には、穴有コンセントと穴無コンセントとの両方に使用できなかったことである。以下、詳述する。
【０００６】
防水仕様の概要は次のようなものである。それは、プラグ側に向かって突き出た円筒状の受け口をコンセントに設けて、その円筒にプラグに設けられた環状部を嵌め込むことによって、端子部を保護するというものである。
【０００７】
ところで、このような防水仕様のプラグについて、端子の位置はＪＩＳ規格で定められている。この規格は次の様なものである。二枚の端子が並んだ方向を奥手前方向（図１（ａ）参照）、奥手前方向および端子をコンセントに挿入する方向に対して直交する方向を左右方向（図１（ａ）参照）とする。穴無コンセントに対応するプラグの場合、端子は、左右方向においてプラグ中心に配置しなくてはならない。一方、穴有コンセントに対応するプラグの場合、端子は、左右方向においてプラグ中心ではなく、中心よりもアースピンに対して所定長さ、遠ざけるようにして配置しなくてはならない。
【０００８】
よって、本体としての円柱の中心に対しての、端子の配置が、穴無コンセントと穴有コンセントとで異なることになる。しかし、防水のためには、円柱と円筒との軸線を一致させて嵌める必要がある。そうすると、アースピンが出っ張ったり引っ込んだりするだけでは、両コンセントに共通に使うことはできず、どちらかに合わせた専用設計をせざるを得なかった。
【０００９】
本考案は、この課題に鑑み、防水仕様のコンセントに使う場合でも、穴無コンセントと穴有コンセントとの両方に使うことができるプラグの提供を目的とする。
【課題を解決するための手段】
【００１０】
この課題を解決するための請求項１のプラグは、防水仕様のコンセントに設けられた受け口に嵌合する環状部が形成されると共に、使用位置に配置したり不使用位置に配置したりする位置変更ができるようにアースピンを保持するプラグであって、環状部の外周の軸線に対する端子の位置は、アースピン差込穴を有しないコンセントの端子差込穴に対応する第一位置と、アースピン差込穴を有するコンセントの端子差込穴に対応する第二位置との間で切り換え可能に構成されており、端子を保持すると共に、位置変更が可能なようにアースピンを保持する円柱状の本体を備え、環状部は、本体の円柱面の軸線を中心に回転可能なように、本体の円柱面に連結し、環状部の外周の軸線は、本体に連結した状態において、本体の円柱面の軸線に対して、平行かつ不一致であることを特徴とするプラグである。
【００１１】
このプラグによれば、本体に対して環状部を回転させることだけで、穴無コンセントと穴有コンセントとに使用する状態を切り換えることができる。以下、詳述する。環状部が本体に対して回転するにつれて、端子の位置が、環状部の外周の軸線に対して移動することになる。なぜなら、本体の軸線と、環状部の外周の軸線とが不一致だからである。さらに両軸線は平行なので、本体に保持された端子は、環状部の外周の軸線を中心とした円運動をすることになる。
【００１２】
この移動を利用すれば、穴有コンセントと穴無コンセントとの両方に使用できるような設計ができる。例えば、ＪＩＳ規格の場合、穴無コンセントと穴有コンセントとを比べると、左右方向（［考案が解決しようとする課題］参照）に端子の位置が異なる。そこで、環状部が半回転する度に、環状部の外周の軸線に対して端子の位置が左右方向に移動することを利用すれば、両コンセントに使用できるような設計ができる。当然、その他の規格に合わせて設計してもよい。
【００１３】
ところで請求項１のプラグは、アースピンの移動および環状部の回転が連動していないと不便である。そこで請求項２のようにすると良い。
請求項２のプラグは、環状部と一緒に回転するように構成され、本体に覆い被さる本体カバーを備え、位置変更は、アースピンが、このアースピン自身の軸線方向に移動することで実現され、当該プラグは、使用位置の向きへの力をアースピンに与える力付与手段を備え、本体は、アースピンを収納する部位に、本体の円柱面の一部を切り取るようにしてアースピンの軸線方向に延びる切欠きを備え、アースピンは、軸線方向とは異なる方向に突き出て、切欠きから飛び出るガイドピンを備え、本体カバーは、使用位置以外の位置においてガイドピンが使用位置の向きに移動しようとすると引っ掛かる螺旋状の第一段差と、使用位置においてガイドピンが不使用位置の向きに移動しようとすると引っ掛かる第二段差とを、本体カバーの内周面に備え、アースピンが使用位置にある場合に、ガイドピンが第二段差に引っ掛かることで、アースピンを使用位置に保持できるようになっていることを特徴とする請求項１のプラグである。
【００１４】
このプラグによれば、穴有コンセントに使える状態と穴無コンセントに使える状態とを、本体カバーを本体に対して回転させるだけで切り換えることができる。よって、切り換え動作が簡単であると共に、端子やアースピンに触らなくてもよいので、重要部品の保護という点で望ましい。以下、詳述する。
【００１５】
ガイドピンは、力付与手段によって使用位置の向きへの力を与えられるので、使用位置以外においては第一段差に押し付けられることになる。よって、環状部および本体の回転角、並びにアースピンの軸線方向の位置が、一対一の関係になる。
【００１６】
よって、アースピンを不使用位置から使用位置へ移動させる場合は、本体カバーを本体に対して回転させると、ガイドピンが第一段差に沿いながら、アースピンが使用位置に向けて徐々に移動していく。そして、アースピンが使用位置に来た時に、ガイドピンを第二段差に引っ掛ければ、アースピンをコンセントに挿入できる。
【００１７】
また、使用位置から不使用位置へ移動させる場合は、ガイドピンを第二段差から外した後、本体カバーを本体に対して回転させると、ガイドピンが第一段差に沿いながら、アースピンが不使用位置に戻る。
【００１８】
なお、力付与手段による力は、面積力でも体積力でも良い。例えば、弾性体による力や電磁力などが考えられる。
【図面の簡単な説明】
【００１９】
【図１】実施例１のプラグを示す図。
【図２】実施例１のプラグを構成する本体を示す図。
【図３】実施例１のプラグを構成するアースピンを示す図。
【図４】実施例１のプラグを構成する本体カバーを示す図。
【図５】実施例１のプラグを構成する前カバーを示す図。
【図６】実施例２のプラグを示す図。
【図７】実施例２の本体を示す図。
【図８】アースピン付属物を示す図。
【図９】実施例２の端子を示す図。
【図１０】実施例２の前カバーを示す図。
【考案を実施するための形態】
【００２０】
本考案の実施例を説明する。
【実施例１】
【００２１】
［構成］
図１は、本考案が適用されたプラグ１を示した図である。まず、図１を用いてプラグ１の概要を述べる。図１（ａ）（ｃ）は上面図、図１（ｂ）（ｄ）は正面図、図１（ｅ）はＢ−Ｂ断面図、図１（ｆ）はＡ−Ａ断面図、図１（ｇ）はＢ−Ｂ断面図である。図１（ａ）（ｂ）（ｅ）（ｆ）は穴無コンセントに使うための状態、図１（ｃ）（ｄ）（ｇ）は穴有コンセントに使うための状態を示している。
【００２２】
図１（ａ）に示すように、左右方向および奥手前方向を定義する。左右方向は面視の左右方向と、奥手前方向は面視の上下方向と一致している。また、図１（ｂ）に示すように、上下方向および左右方向を定義する。どちらも面視における方向と一致している。
【００２３】
プラグ１は、図１に示すように、本体カバー１１・前カバー１３・端子１５・アースピン１７・本体１９・ネジ２１・スプリング２３・後カバー２５・キャップ２７を備える。
端子１５は、従来のものと同じで、コンセントに差し込むためのものである。本体１９は、端子１５を保持する構造になっている。そして、後カバー２５は、本体１９と結合し、端子１５に接続された配線２５１及びアース線２５３を保持する。なお、配線２５１と端子１５とをつなぐ線は図示していない。
【００２４】
本体カバー１１は、本体１９に覆い被さり、環状部１１７を備える。環状部１１７は、本体カバー１１の外周面の上端に位置するものであり、防水機能のためのものである。つまり、この環状部１１７を相手方に挿入することで、防水機能が得られる。また、本体カバー１１は、本体１９に対して半回転できるようになっている。
【００２５】
アースピン１７は、本体１９に設けられた収納穴１９１（図２参照）に収納されている。そして、スプリング２３は、アースピン１７と後カバー２５との間に設けられており、使用位置に向けて出っ張る向きにアースピン１７に力を常に与えている。
【００２６】
収納穴１９１は貫通穴なので、スプリング２３を保持するために、金属製のキャップ２７が収納穴１９１の端に圧着されている。そして、キャップ２７とアース線２５３とが導通している。よって、スプリング２３とキャップ２７とを介して、アースピン１７とアース線２５３とが導通することになる。
【００２７】
また、前カバー１３は、本体カバー１１を本体１９に保持しておくために、本体１９に設けられたネジ穴１９３（図２参照）とネジ２１とよって、本体１９に固定されている。
ところで端子１５は、外部から見える部分が左右方向について対象であるので、正面図における中心線が定義できる。この中心線を、図１（ｂ）（ｄ）に示すように、中心線αとする。また、図１（ｂ）（ｄ）に示すように、環状部１１７の外周の軸線を軸線βとする。
【００２８】
図１（ｂ）（ｄ）に示すように正面図において、中心線α・軸線βは、本体１９の軸線と不一致である。また、図１（ｂ）に示すように、穴無コンセントに使用する場合の正面図においては、中心線αと軸線βとは一致している。
【００２９】
ここから主要部品を詳しく説明する。図２は本体１９を示した図である。図２（ａ）は上面図、図２（ｂ）は上面図を右から見た図、図２（ｃ）はＡ−Ａ断面図である。図２（ａ）に示すように、上面には端子１５を保持するための端子穴１９７が開いている。端子穴１９７は、左右方向について対象であるので、正面図における中心線を定義できる。この中心線を、図２（ｃ）に示すように中心線α’とする。中心線α’は、端子１５の中心線αと一致する。また、図２（ａ）（ｃ）に示すように、本体１９は、ネジ２１のためのネジ穴１９３、及びアースピン１７を収納するための収納穴１９１を備える。
【００３０】
また、図２（ｂ）に示すように、本体１９には、本体１９の外周面（円柱面）を切り取るようにして収納穴１９１を外部に開放する切欠き１９５がある。なお、収納穴１９１には、切欠き１９５を塞がないように同じような切欠きを備えた筒状の金属製ホルダが圧入される。なお、後カバー２５を保持するための構造は、既知なので説明しない。
【００３１】
図３はアースピン１７を示した図である。アースピン１７は、アースピン本体１７３とガイドピン１７１とから成る。ガイドピン１７１を切欠き１９５に合わせてアースピン本体１７３を収納穴１９１に挿入することで、アースピン１７が収納穴１９１に収納される。なお、ガイドピン１７１は、アースピン１７が収納された状態において、切欠き１９５から飛び出る長さになっている。
【００３２】
図４は、本体カバー１１を示した図である。図４（ａ）は上面図、図４（ｂ）は下面図、図４（ｃ）はＣ−Ｃ断面図、図４（ｄ）はＢ−Ｂ断面図、図４（ｅ）はＤ−Ｄ断面図、図４（ｆ）はＡ−Ａ断面図、図４（ｇ）は図４（ｄ）のＧ方向の斜視図（ただし断面図ではない）、図４（ｈ）は図４（ｄ）のＨ方向の斜視図（ただし断面図ではない）である。
【００３３】
図４（ａ）〜（ｈ）に示すように、本体カバー１１は、環状部１１７と胴部１１３とから成る。胴部１１３は円筒状をしている。また、環状部１１７は、胴部１１３の上端が径方向へ膨らんでできた部位である。図４（ａ）（ｂ）に示すように、環状部１１７の外周を上下方向に投影した図は、胴部１１３の中心とは異なる中心を持つ円である。図４（ｄ）（ｆ）に示すように、環状部１１７の外周の軸線βは、胴部１１３の軸線に対して平行であると共に、左にずれている。一方、図４（ｃ）に示すように、軸線βは、胴部１１３の軸線に対して奥手前方向に投影すると一致して見える。
【００３４】
胴部１１３の内周面について説明する。図４（ｈ）に示すように、内周面には、一部がえぐり取られるようにしてできた第一段差１１１がある。第一段差１１１は、奥側の半周に渡る螺旋状をしており、下側が凹んでいる。第一段差１１１を各断面図によって説明する。
【００３５】
図４（ｄ）に示すように、第一段差１１１を奥手前方向に投影すると、直線に見える。また、図４（ｆ）に示すように手前側には第一段差１１１はない。しかし、図４（ｆ）（ｈ）に示すように、後カバー２５に挿入するために、内周面全周に渡って、第一段差１１１と同じ深さの凹みが下側にある。
【００３６】
また、図４（ｃ）のγに示すように、第一段差１１１は上記全周の凹みから、上向きにずれた位置を起点としている。また、図４（ｅ）に示すように、環状部１１７の内周面の上側は、全周に渡って凹んでいる。この凹みは、前カバー１３を保持するためのものである。また、図４（ｅ）（ｇ）のδに示すように、この凹みと第一段差１１１の凹みとは繋がっており、第一段差１１１の上側の起点付近で、凹みが手前側に侵食して、上側が凹んだ第二段差１１２を作っている。
【００３７】
図５は、前カバー１３を示した図である。図５（ａ）は上面図、図５（ｂ）は上面図を右から見た図である。図５（ａ）に示すように、前カバー１３は円板状をしている。そして、円板の寸法は、本体カバー１１の上側の凹みに嵌るようになっている。そして、本体１９に装着された本体カバー１１に嵌ったときに、端子１５・アースピン１７・ネジ２１と干渉しないように穴が開いている。また、図５（ｂ）に示すように、前カバー１３の下側に、突起１３１がある。突起１３１は、本体カバー１１のδの部分に嵌るようになっている。
［作用］
穴無コンセントに使う状態と穴有コンセントに使う状態との切り換えについて説明する。図１（ａ）の説明で先述したように、穴無コンセントに使う状態の場合、正面図において中心線αと軸線βとが一致している。
【００３８】
それに対して、本体カバー１１を本体１９に対して半回転させると正面図において、中心線αが軸線βに対して所定距離だけ左にずれる。なぜなら、正面図において、本体１９の中心線と軸線βとが不一致だからである。このずれによって、穴有コンセントと穴無コンセントとの寸法の違いが吸収されるので、穴有コンセントにピタリと嵌ることになる。
【００３９】
今度はアースピン１７について説明する。本体カバー１１の軸線βと端子１５の中心とが一致した状態では、アースピン１７は出っ張る向きにスプリング２３によって力を受けながらも引っ込んでいる。なぜなら、ガイドピン１７１が第一段差１１１のγの部分（図４（ｃ）参照）に引っ掛かっているからである。この状態から徐々に本体カバー１１を本体１９に対して回転させていくと、ガイドピン１７１は、第一段差１１１に対して滑りながら、上向きに移動していくことになる。
【００４０】
そして、ガイドピン１７１はδに辿り着き、第二段差１１２の手前側面にぶつかる。そうすると、それ以上、本体カバー１１は回転できなくなる。そして、ガイドピン１７１は、第二段差１１２と前カバー１３の突起１３１とに挟まれて上下方向の移動が制限されることになる。よって、安定してコンセントに抜き差しできる。
【００４１】
逆に、穴有コンセントに使う状態から、本体カバー１１を本体１９に対して半回転させれば、穴無コンセントに使う状態に切り換えることができる。
［効果］
プラグ１は、防水仕様に構成された穴無コンセントと穴有コンセントとの両方に使うことができる。しかも、その切り換えは、本体カバー１１を本体１９に対して半回転させるだけなので、簡単である。ガイドピン１７１を第二段差１１２に引っ掛けたり外したりするのも、ガイドピン１７１が第一段差１１１に沿って移動させるのも、本体カバー１１を回転させるだけでよい。
【実施例２】
【００４２】
［構成］
図６は、本考案が適用されたプラグ２を示した図である。まず、図６を用いてプラグ２の概要を述べる。図６（ａ）（ｄ）は上面図、図６（ｂ）（ｅ）は正面図、図６（ｃ）はＡ−Ａ断面図、図６（ｆ）はＢ−Ｂ断面図である。図６（ａ）〜（ｃ）は穴無コンセントに使うための状態、図６（ｄ）〜（ｆ）は穴有コンセントに使うための状態を示している。
【００４３】
図６（ａ）に示すように、左右方向および奥手前方向を定義する。左右方向は面視の左右方向と、奥手前方向は面視の上下方向と一致している。また、図６（ｂ）に示すように、上下方向および左右方向を定義する。どちらも面視における方向と一致している。
【００４４】
プラグ１は、図６に示すように、本体３０・アースピン付属物３２・端子３５・前カバー３７・スプリング３９・アースピン４１・固定ピン４３を備える。
端子３５は、従来のものと同じで、コンセントに差し込むためのものである。そして端子３５の一部（端子台３５２（図９参照））が本体３０と前カバー３７との間に挟み込まれることで、端子３５は保持されている。また、固定ピン４３が、本体３０とアースピン４１とアースピン付属物３２とを貫通した状態で保持されることによって、アースピン４１とアースピン付属物３２とは、本体３０に対して回転可能に接続されている。
【００４５】
また、端子３５は、本体３０と前カバー３７との間に挟まれた状態において左右方向に移動可能になっている。そして、スプリング３９は、端子３５を右に押し付ける力を与えるように、本体３０の内壁と端子３５との間に縮んだ状態で保持されている。
【００４６】
ここから主要部品を詳しく説明する。図７は本体３０を示した図である。図７（ａ）は上面図、図７（ｂ）は上面図を右から見た図、図７（ｃ）は上面図を左から見た図、図７（ｄ）は正面図、図７（ｅ）はＡ−Ａ断面図である。図７（ａ）〜（ｄ）に示すように、円盤状の上部３０１と十字柱状の下部３０６とによって、本体３０の輪郭が作られる。図７（ａ）（ｅ）に示すように、下部３０６は、容器のように下面を残して内部がくり貫かれている。そして、そのくり貫きは、上部３０１を貫通している。ただし、下部３０６には、図７（ａ）（ｅ）に示すように、十字の横棒の右半分に相当する部分においては下面が無く、上下に貫通している。
【００４７】
図７（ａ）に示すように、下部３０６には、端子３５の下刃３５４（図９参照）を挿入するための端子穴３０５が二つ開いている。各端子穴３０５は、左右方向において下刃３５４よりも長く、かつ中心が左にずれている。
【００４８】
また、図７（ａ）（ｅ）に示すように、下部３０６の内部の左側面には、凸部３０２がある。凸部３０２は、スプリング３９に挿入されることで、スプリング３９の位置決めをするためのものである。また、下部３０６の内面において、十字の横棒の右半分の部分における上下の面には、凸部３０３が一つずつある。凸部３０３は、アースピン付属物３２の凹部３２３（図８参照）に嵌ることで、アースピン付属物３２、ひいてはアースピン４１の回転角を安定させるためのものである。
【００４９】
また、図７（ｄ）（ｅ）に示すように、下部３０６には、十字の横棒の右半分の部分において、上下方向に貫通する貫通穴３０４が開いている。貫通穴３０４は、固定ピン４３を挿入するためのものである。
【００５０】
図８は、アースピン付属物３２を示した図である。図８（ａ）は正面図、図８（ｂ）は上面図、図８（ｃ）は左側面図、図８（ｄ）は右側面図、図８（ｅ）はＡ−Ａ断面図、図８（ｆ）はＢ−Ｂ断面図、図８（ｇ）はＣ−Ｃ断面図である。
【００５１】
アースピン付属物３２の輪郭は、図８（ａ）〜（ｄ）示すように、二段の階段状になっている。また、アースピン付属物３２は、図８（ｃ）（ｅ）に示すように、左側面にザグリ穴３２１がある。ザグリ穴３２１は、アースピン４１を挿入するためのものである。また、アースピン付属物３２は、図８（ａ）（ｆ）に示すように、奥手前方向に、貫通穴３２２が開いている。貫通穴３２２は、固定ピン４３を挿入するためのものである。また、アースピン付属物３２は、図８（ａ）（ｇ）に示すように、球面状の凹部３２３が四つある。凹部３２３は、本体３０の凸部３０３を嵌めるためのものである。
【００５２】
図９は、端子３５を示した図である。図９（ａ）が正面図、図９（ｂ）が左側面図である。金属製の二枚ずつの上刃３５３と下刃３５４とは、端子台３５２に保持されている。そして、下刃３５４は、本体３０の端子穴３０５に挿入される。また、上刃３５３と下刃３５４とは、端子台３５２があることで別々の部品に見えるが、実際には奥に配置されたもの同士、及び手前に配置されたもの同士が一枚になっている。
【００５３】
また、端子台３５２は、図９（ｂ）に示すように、中央部が凹んでいる。この凹みは、アースピン４１との干渉を避けるためのものである。また、端子台３５２には、凸部３５１がある。凸部３５１は、スプリング３９に挿入されることで、スプリング３９の位置決めをするためのものである。
【００５４】
また、図９（ａ）に示すように、端子台３５２の右側面の下部は膨らんでいる。この膨らみは、アースピン付属物３２と干渉する部位となる。
図１０は、前カバー３７を示した図である。図１０（ａ）は上面図、図１０（ｂ）はＡ−Ａ断面図である。前カバー３７には、図１０（ａ）に示すように、上刃３５３、アースピン４１及びアースピン付属物３２との干渉を避けるための穴が開いている。また、前カバー３７は、図１０（ｂ）に示すように、本体３０の上部３０１に嵌ることができるように、縁が厚くなっている。そして、前カバー３７が防水機能を発揮する。
［作用］
図６を用いて説明する。穴無コンセントに使う状態から穴有コンセントに使う状態に切り換えるには、アースピン４１を本体３０に対して右に９０°回転させればよい。そうすれば当然、アースピン４１はコンセントに挿入可能になる。端子３５については、アースピン４１を先述のように回転させると、左に所定距離移動するので、穴有コンセントに挿入可能な状態になる。
【００５５】
端子３５が移動する理由を述べる。アースピン４１はアースピン付属物３２のザグリ穴３２１に挿入されているので、アースピン４１を回転させると、アースピン付属物３２も一緒に回転する。アースピン４１とアースピン付属物３２とが、図６（ｃ）に示す状態から所定角度、回転すると、アースピン付属物３２が端子３５の端子台３５２の膨らみに干渉し始める。さらに、アースピン４１とアースピン付属物３２とを回転させていくと、端子台３５２に左向きの力が掛かり、スプリング３９の力に打ち勝って端子を左に移動させていく。そして、アースピン４１が図６（ｆ）に示すように挿入可能な状態となって回転が終わると、端子３５は、穴有コンセントに差し込める位置に来ると共に移動が終わる。
【００５６】
そして、本体３０の凸部３０３が、アースピン付属物３２の凹部３２３に嵌ることで、アースピン４１の位置が安定することになる。これに伴い、端子の位置は、アースピン付属物３２とスプリング３９との力の釣り合いによって決まるので、安定することになる。
【００５７】
一方、穴無コンセントに使う状態から穴有コンセントに使う状態に切り換えるには、アースピン４１を本体３０に対して左に回転させていく。そうすると、端子３５は、徐々に右に移動していき、下刃３５４と端子穴３０５とが干渉する所で移動が終わる。そして、スプリング３９による力と、アースピン付属物３０５による反力とによって位置が安定することになる。
【００５８】
さらに、アースピン４１とアースピン付属物３２とを回転させていき、図１（ｃ）に示すようにアースピン４１が真横になると、アースピン付属物３２の凹部３２３に嵌ることで、アースピン４１は不使用の位置で安定することになる。
［効果］
プラグ２は、防水仕様に構成された穴無コンセントと穴有コンセントとの両方に使うことができる。しかも、その切り換えは、アースピン４１を本体３０に対して９０°回転させるだけなので、簡単である。
［実施例２の変形例］
プラグ２においては、アースピン４１を本体３０の中心に向けて折り畳んで収納して、穴無コンセントに使用できる状態にした。それに対して、アースピンを折り畳む向きを本体の外側に向けても良い。この場合、固定ピン４３の位置を端子台３５２よりも下にする必要がある。
【００５９】
なお、実施例１／２は、ＪＩＳ規格に合わせたものである。当然、他の規格に合わせるように設計してもよい。
［実施例と実用新案登録請求の範囲との対応］
実施例１が請求項１・２に相当する。また、スプリング２３／３９が力付与手段に相当する。
【符号の説明】
【００６０】
１／２…プラグ、１１…本体カバー、１３／３７…前カバー、１５／３５…端子、１７／４１…アースピン、１９…本体、２１…ネジ、２３／３９…スプリング、２５…後カバー、２７…キャップ、３０…本体、３２…アースピン付属物、４３…固定ピン、１１１…第一段差、１１２…第二段差、１１３…胴部、１１７…環状部、１３１…突起、１７１…ガイドピン、１７３…アースピン本体、１９１…収納穴、１９３…ネジ穴、１９５…切欠き、１９７／３０５…端子穴、２５１…配線、２５３…アース線、３０１…上部、３０２／３０３／３５１…凸部、３０４／３２２…貫通穴、３０６…下部、３２１…ザグリ穴、３２３…凹部、３５２…端子台、３５３…上刃、３５４…下刃、α…中心線、β…軸線
【図１】
0003150975.tif 000003
【図２】
0003150975.tif 000004
【図３】
0003150975.tif 000005
【図４】
0003150975.tif 000006
【図５】
0003150975.tif 000007
【図６】
0003150975.tif 000008
【図７】
0003150975.tif 000009
【図８】
0003150975.tif 000010
【図９】
0003150975.tif 000011
【図１０】
0003150975.tif 000012